(57)【要約】【課題】パネルへの固定点に対してワイヤハーネスの進行方向にある程度離れた位置で、ワイヤハーネスの配索経路をクリップ単体で規制でき、ワイヤハーネスの配索方向や配索姿勢を安定保持できる低コストのオフセットクリップを提供すること。【解決手段】パネル１への固定点Ｐ１から離れた位置でワイヤハーネスＷの配策経路を規制するオフセットクリップであって、パネル１のクリップ固定部１ｂに係止固定される係止脚部１１と、ワイヤハーネスＷを結束する結束バンド部１２と、係止脚部１１と結束バンド部１２とをワイヤハーネスＷの進行方向に離間距離Ｄだけオフセットさせて連結する連結腕部１３とを備えている。【選択図】図２
2015116036.tif 000002
【特許請求の範囲】
【請求項１】
パネルへの固定点から離れた位置でワイヤハーネスの配策経路を規制するオフセットクリップであって、
前記パネルに係止固定される係止脚部と、
前記ワイヤハーネスを結束する結束部と、
前記係止脚部と前記結束部とを前記ワイヤハーネスの進行方向にオフセットさせて連結する連結腕部とを備えたことを特徴とするオフセットクリップ。
【請求項２】
前記結束部は、前記ワイヤハーネスを取り囲むバンド部分と、前記係止脚部から離れる前記連結腕部の一端側であって前記ワイヤハーネスに対して前記パネルに近接する側で前記バンド部分を係止するバンド係止部分とを有していることを特徴とする請求項１に記載のオフセットクリップ。
【請求項３】
前記係止脚部は、前記パネルに対する前記連結腕部および前記結束部の回転を規制可能な非円形断面形状を有していることを特徴とする請求項１または請求項２に記載のオフセットクリップ。
【請求項４】
前記連結腕部が、前記係止脚部または前記結束部に対して、前記ワイヤハーネスの進行方向にスライド可能に結合されていることを特徴とする請求項１ないし請求項３のいずれか１項に記載のオフセットクリップ。
【発明の詳細な説明】
【技術分野】
【０００１】
本発明は、オフセットクリップに関し、特にパネルへの固定点から離れた位置でワイヤハーネスの配策経路を規制するオフセットクリップに関する。
【背景技術】
【０００２】
ワイヤハーネスの配索経路を複数箇所のクリップ類（クランプを含む意で、以下、単にクリップという）での規制により設定する際に、障害物等の存在により、パネルに係止固定される係止脚部の真上で配索経路を規制する通常の直上タイプのクリップでは障害物等との干渉が回避し難かったり作業が悪くなったりすることがある。そのような場合、パネルへの固定点からある程度離れた位置でハーネスの配策経路を規制することができるオフセットクリップが使用されている。
【０００３】
従来のこの種のオフセットクリップとしては、例えばパネルへの固定点に対しワイヤハーネスの進行方向（延在方向）と直交する方向に離れた位置にオフセットさせたバンド部によって、配索経路を規制するものが知られている（例えば、特許文献１参照）。
【０００４】
また、パネルへの固定点に対してワイヤハーネスの進行方向に離れた位置で配索経路を規制するものとして、パネルに係止固定される係止脚部とパネル面に沿って係止脚部の両側に延びる板部とを有し、その板部の両端部とテープ巻きしたワイヤハーネスを結束バンドで結束する板クリップが知られている（例えば、特許文献２参照）。
【０００５】
さらに、パネルへの固定点から経路規制位置までのオフセット距離より長い硬質チューブでワイヤハーネスを覆い、その硬質チューブの外側から通常の直上タイプのバンドクリップによりワイヤハーネスを結束しつつパネルに固定するものが知られている（例えば、特許文献３参照）。
【先行技術文献】
【特許文献】
【０００６】
【特許文献１】実開平６−７０４３２号公報
【特許文献２】特開平８−０４７１４６号公報
【特許文献３】特開平８−３０８０７０号公報
【発明の概要】
【発明が解決しようとする課題】
【０００７】
しかしながら、パネルへの固定点に対してワイヤハーネスの進行方向と直交する方向にオフセットさせた位置で配索経路を規制する従来のオフセットクリップにあっては、ワイヤハーネスの配索方向がばらつき易く、その配索姿勢の保持性能も低いという問題があった。
【０００８】
また、板クリップや硬質チューブを用いて、クリップの係止脚部に対し進行方向にオフセットさせたバンドによりワイヤハーネスの配索経路を規制する従来のオフセットクリップにあっては、ハーネス配索姿勢の保持性能は高くなるものの、部品点数や部品取付けの作業工数が多くならざるを得ず、コスト高を招いてしまうという問題があった。
【０００９】
本発明は、上述のような課題を解決するためになされたもので、パネルへの固定点に対してワイヤハーネスの進行方向にある程度離れた位置で、ワイヤハーネスの配索経路をクリップ単体で容易に規制でき、ワイヤハーネスの配索方向や配索姿勢を安定保持できる低コストのオフセットクリップを提供することを目的とする。
【課題を解決するための手段】
【００１０】
本発明に係るオフセットクリップは、上記目的達成のため、パネルへの固定点から離れた位置でワイヤハーネスの配策経路を規制するオフセットクリップであって、前記パネルに係止固定される係止脚部と、前記ワイヤハーネスを結束する結束部と、前記係止脚部と前記結束部とを前記ワイヤハーネスの進行方向にオフセットさせて連結する連結腕部とを備えた構成である。
【００１１】
この構成により、本発明のオフセットクリップでは、係止脚部によるパネルへの固定点からある程度離れた位置でワイヤハーネスの配索経路をクリップ単体で規制可能となり、部品点数を抑えた低コストのオフセットクリップとなる。しかも、ワイヤハーネスの配索経路が、係止脚部の真上を通って連結腕部に沿うように設定されることから、ワイヤハーネスの配索方向や配索姿勢がばらつき難くなる。よって、ワイヤハーネスを所要の配索方向や配索姿勢に安定保持可能となる。
【００１２】
本発明に係るオフセットクリップにおいて、前記結束部は、前記ワイヤハーネスを取り囲むバンド部分と、前記係止脚部から離れる前記連結腕部の一端側であって前記ワイヤハーネスに対して前記パネルに近接する側で前記バンド部分を係止するバンド係止部分とを有していてもよい。
【００１３】
この構成により、ワイヤハーネスの配索経路をクリップ単体で容易に規制可能となり、しかも、バンド係止部分がワイヤハーネスの側方やパネルから離れた位置に大きく突出することがなくなり、ワイヤハーネスと近接する障害物等との干渉を防止できる。
【００１４】
なお、前記バンド係止部分は、前記結束部のバンド部分を前記パネルに沿う方向に挿入した状態で係止するとよい。そのようにすると、バンド係止部分をワイヤハーネスとパネルの間に位置させることができ、バンド係止部分をワイヤハーネスの配索経路内に配置したコンパクトな配索形態となる。
【００１５】
本発明に係るオフセットクリップにおいて、前記係止脚部は、前記パネルに対する前記連結腕部および前記結束部の回転を規制可能な非円形断面形状を有していてもよい。
【００１６】
この構成により、パネルに対する連結腕部および結束部の回転が規制されることで、ワイヤハーネスの配索方向や配索姿勢をより安定させることができる。
【００１７】
本発明に係るオフセットクリップにおいては、前記連結腕部が、前記係止脚部または前記結束部に対して、前記ワイヤハーネスの進行方向にスライド可能に結合されていてもよい。そのように構成すると、係止脚部と結束部の離間距離を調整可能となり、オフセットクリップの汎用性が高まる。
【発明の効果】
【００１８】
本発明によれば、パネルへの固定点に対してワイヤハーネスの進行方向にある程度離れた位置で、ワイヤハーネスの配索経路をクリップ単体で規制でき、ワイヤハーネスの配索方向や配索姿勢を安定保持できる低コストのオフセットクリップを提供することができる。
【図面の簡単な説明】
【００１９】
【図１】本発明の第１の実施の形態に係るオフセットクリップの外観斜視図である。
【図２】本発明の第１の実施の形態に係るオフセットクリップの実装状態での側面図である。
【図３】図３（ａ）は、本発明の第１の実施の形態に係るオフセットクリップの係止脚部の近傍を示す側面図であり、図３（ｂ）は、図３（ａ）のＢ３−Ｂ３矢視断面図である。
【図４】本発明の第１の実施の形態に係るオフセットクリップの結束バンド部のバンド係止部分付近を示す部分正面断面図である。
【図５】本発明の第２の実施の形態に係るオフセットクリップの外観斜視図である。
【図６】図６（ａ）は、本発明の第３の実施の形態に係るオフセットクリップの側面図であり、図６（ｂ）は、図６（ａ）のＢ６−Ｂ６矢視断面図である。
【発明を実施するための形態】
【００２０】
以下、本発明に係る実施の形態について図面を参照しつつ説明する。
【００２１】
（第１の実施の形態）
第１の実施の形態に係るオフセットクリップは、自動車のボディまたはドア等のモジュールを構成するパネルに固定される複数のクリップのいずれかとなっており、他のクリップ等と協働してワイヤハーネスＷを複数箇所で部分的に拘束することで、ワイヤハーネスＷの配索経路を規制するようになっている。
【００２２】
図１および図２に示すように、本実施の形態のオフセットクリップ１０は、パネル１に係止される係止脚部１１と、ワイヤハーネスＷを結束可能な結束バンド部１２と、係止脚部１１および結束バンド部１２を連結する略板状の連結腕部１３とを有している。なお、以下の説明では、オフセットクリップ１０に対してパネル１側を下方側、ワイヤハーネスＷ側を上方側とする。
【００２３】
係止脚部１１は、パネル１に形成されたクリップ係止穴１ａに挿入されたとき、クリップ係止穴１ａを形成するパネル１のクリップ固定部１ｂに係止固定されるようになっておいる。
【００２４】
この係止脚部１１は、パネル１のクリップ係止穴１ａに挿入し得るようクリップ係止穴１ａに対応する外周輪郭形状（図３（ｂ）参照）を有する嵌合部分１１ａと、嵌合部分１１ａより大径な傘状をなすよう嵌合部分１１ａの上方側に隣接配置された傘状部分１１ｂとを有している。
【００２５】
さらに、係止脚部１１は、例えば図１および図３（ａ）に示すように、嵌合部分１１ａの中央から下方側に突出する突出部分１１ｃと、ワイヤハーネスＷの軸線方向Ｃ（進行方向）で突出部分１１ｃの先端部の両側に片持ち支持された一対の係止爪１１ｄとを有している。なお、係止脚部１１は、突出部分１１ｃにワイヤハーネスＷの軸線方向Ｃと直交する両側に係止爪を併有しているものであってもよい。
【００２６】
図３（ａ）に示すように、一対の係止爪１１ｄは、それぞれの自由端部１１ｅを突出部分１１ｃから離間させるよう、突出部分１１ｃに対して互いに逆方向に傾斜しており、全体として略矢先形状をなしている。
【００２７】
また、一対の係止爪１１ｄは、パネル１のクリップ係止穴１ａに挿入されるとき、それらの自由端部１１ｅを互いに接近させるように一時的に弾性変形し、嵌合部分１１ａがクリップ係止穴１ａに挿入されたときに弾性回復する。そして、その弾性回復時に、一対の係止爪１１ｄの自由端部１１ｅがパネル１のクリップ固定部１ｂの下方側内周面およびその近傍の裏面の双方である下方側内周縁部１ｅ（図２参照）に係合する。
【００２８】
オフセットクリップ１０は、このように係止脚部１１の一対の係止爪１１ｄの自由端部１１ｅがクリップ固定部１ｂの下方側内周縁部１ｅに係合したとき、係止脚部１１をパネル１のクリップ固定部１ｂに抜け止め係止した状態となるようになっている。
【００２９】
結束バンド部１２は、ワイヤハーネスＷを外周から取り囲んで結束し得る所定長さのバンド部分１２ａと、バンド部分１２ａの基端部と一体の枠状をなすとともに、その枠状の内方でバンド部分１２ａの先端側を抜け止め状態に係止可能なバンド係止部分１２ｂとを有している。
【００３０】
図１、図２および図４に示すように、結束バンド部１２のバンド部分１２ａは、略角筒状をなすバンド係止部分１２ｂの一端側から上方側に突出しており、ワイヤハーネスＷの軸線方向に対し直交する方向に延びている。そして、このバンド部分１２ａをワイヤハーネスＷの外周に巻き付けるように湾曲させるとき、バンド部分１２ａの先端側をバンド係止部分１２ｂの他端側の開口１２ｃからバンド係止部分１２ｂの内方に挿入できるようになっている。このバンド係止部分１２ｂへのバンド部分１２ａの挿入方向は、概ねパネル１に沿う方向である。
【００３１】
また、バンド部分１２ａの先端側の片面、例えばワイヤハーネスＷに対向する内周面側には、複数の鋸刃状断面の凹凸１２ｄが並列する２列の帯状に形成されるとともに、これら２列の帯状の凹凸１２ｄの間および両側に位置する３本の突条１２ｅが設けられている。ここで、バンド部分１２ａの３本の突条１２ｅの部分の厚さは、鋸刃状断面の凹凸１２ｄの部分の厚さより大きくなっている。
【００３２】
バンド係止部分１２ｂの内部には、例えば図４に示すように、バンド部分１２ａの鋸刃状断面の凹凸１２ｄに向かって突出する複数のロック爪部１２ｆと、バンド係止部分１２ｂの内方に挿入されたバンド部分１２ａを背面（下面）側からロック爪部１２ｆ側に押し付けるようバンド部分１２ａを湾曲させる案内面１２ｇとが設けられている。
【００３３】
これにより、バンド係止部分１２ｂは、結束バンド部１２のバンド部分１２ａに対して、パネル１に沿う図４中の右方向には挿入が容易となり、図４中の左方向には抜け止め係止する機能を発揮できるようになっている。
【００３４】
なお、結束バンド部１２のバンド部分１２ａの先端位置は、連結腕部１３の側面と同一の位置か、その側面からの突出量がバンド部分１２ａの先端を通常の切断作業で切断するのに要する最小の突出量程度となるように設定されている。
【００３５】
連結腕部１３は、係止脚部１１から離れる長手方向の一端側で結束バンド部１２のバンド係止部分１２ｂに一体に連結され、長手方向の他端側で係止脚部１１の傘状部分１１ｂに連結されている、そして、この連結腕部１３を介して、結束バンド部１２が、係止脚部１１に対しワイヤハーネスＷの進行方向にオフセットした状態で連結されている。
【００３６】
結束バンド部１２の略角筒状のバンド係止部分１２ｂは、バンド部分１２ａを挿入可能な方向がワイヤハーネスＷの軸線方向Ｃに対して直交するように形成されており、図４に示すように、ワイヤハーネスＷの下方側であってワイヤハーネスＷの直径に対応する幅Ｗｒの範囲内でバンド部分１２ａを抜け止め係止するようになっている。
【００３７】
一方、係止脚部１１の嵌合部分１１ａは、パネル１のクリップ係止穴１ａに挿入されてクリップ固定部１ｂに係止固定されることで、パネル１に対する連結腕部１３および結束バンド部１２の回転を規制可能な非円形断面形状、例えば図３（ｂ）に示すように平行な２面を有する略小判形の平面断面形状を有している。
【００３８】
なお、ここにいう略小判形の平面断面形状は、外周輪郭形状の全周が円形でない単一の非円形断面形状、例えば部分的に円周から外れる平面、凹面または凸面を有する非円形形状や長方形その他の多角形状であるが、単一の断面でなく、複数の脚部が円形または非円形の断面部分を有し係止脚部全体としては非円形の断面形状となるものであってもよい。また、係止脚部１１が単一断面形状で非円形である場合、パネル１のクリップ係止穴１ａは、前述の嵌合部分１１ａの平面断面形状に対応する小判穴以外に、角穴、長穴、スリットその他、係止脚部１１の回転を規制できる任意の穴形状にできることは勿論である。
【００３９】
次に、本実施の形態に係るオフセットクリップの作用を説明する。
【００４０】
上述のように構成された本実施の形態においては、係止脚部１１によるパネル１への固定点が図２に示す嵌合部分１１ａの中心の結合位置Ｐ１となり、その中心の結合位置Ｐ１から連結腕部１３の長さに対応する離間距離Ｄだけ離れた結束位置Ｐ２で、ワイヤハーネスＷの配索経路をオフセットクリップ１０が単体で規制できることになる。したがって、オフセットクリップ１０が、部品点数を抑えた低コストのものとなる。
【００４１】
しかも、ワイヤハーネスＷの配索経路が、オフセットクリップ１０の係止脚部１１の真上を通って連結腕部１３に沿うように設定されることから、ワイヤハーネスＷの配索方向や配索姿勢がばらつき難くなる。したがって、オフセットクリップ１０により、ワイヤハーネスＷを所要の配索方向や配索姿勢に安定保持可能となる。
【００４２】
また、本実施の形態では、結束バンド部１２によりワイヤハーネスＷの配索経路を容易に規制できる。しかも、結束バンド部１２のバンド係止部分１２ｂがワイヤハーネスＷの側方やパネル１から離れた位置に大きく突出することがないので、ワイヤハーネスＷと近接する障害物等との干渉を防止できる。
【００４３】
さらに、バンド係止部分１２ｂをワイヤハーネスＷとパネル１の間に位置させることができるので、バンド係止部分１２ｂをワイヤハーネスＷの配索経路内に配置したコンパクトな配索形態にできる。
【００４４】
加えて、本実施の形態では、係止脚部１１でパネル１に対する連結腕部１３および結束バンド部１２の回転が規制されるので、オフセットクリップ１０によってワイヤハーネスＷの配索方向や配索姿勢をより安定させることができる。
【００４５】
このように、本実施の形態によれば、パネル１へのワイヤハーネスＷの固定点である位置Ｐ１に対してワイヤハーネスＷの進行方向にある程度離れた位置Ｐ２で、ワイヤハーネスＷの配索経路をクリップ単体で容易に規制でき、ワイヤハーネスＷの配索方向や配索姿勢を安定保持できる低コストのオフセットクリップ１０を提供することができる。
【００４６】
（第２の実施の形態）
図５に、本発明の第２の実施の形態に係るオフセットクリップ２０を示している。
【００４７】
なお、以下に述べる各実施の形態のオフセットクリップは、前述の第１実施の形態のオフセットクリップ１０と略同様な構成を有しているので、第１実施の形態のオフセットクリップ１０と同様の構成については、図１ない図４中に示した第１実施の形態中の対応する構成要素の符号を用いて重複する説明を省略し、以下、第１実施の形態との相違点について説明する。
【００４８】
図５に示すように、第２の実施の形態に係るオフセットクリップ２０においては、結束バンド部１２のバンド部分１２ａの先端位置が、連結腕部１３の側面上でなく、その側面からの突出量がバンド部分１２ａの先端を通常の切断作業で切断するのに要する最小の突出量程度を超える、所定の突出量ｄｐとなる位置に設定されている。
【００４９】
そして、結束バンド部１２の略角筒状の略角筒状バンド係止部分１２ｂは、ワイヤハーネスＷの下方側であってワイヤハーネスＷを取り囲むループ状のバンド部分１２ａの外径程度の幅方向範囲内で、バンド部分１２ａを抜け止め係止するようになっている。
【００５０】
本実施の形態においても、パネル１へのワイヤハーネスＷの固定点である位置Ｐ１に対してワイヤハーネスＷの進行方向にある程度離れた位置Ｐ２で、ワイヤハーネスＷの配索経路をクリップ単体で容易に規制でき、ワイヤハーネスＷの配索方向や配索姿勢を安定保持できる低コストのオフセットクリップ１０を提供することができる。
【００５１】
しかも、本実施の形態では、連結腕部１３の側面からのバンド部分１２ａの先端の突出量が、通常の切断作業で切断するのに要する最小の突出量程度を超える所定の突出量ｄｐに設定されているので、バンド部分１２ａの先端の切断作業が容易になるとともに、抜け止め係止機能も高まる。また、バンド部分１２ａの突出量が、ワイヤハーネスＷを取り囲むループ状のバンド部分１２ａの外径程度の幅方向範囲内に抑えられるので、障害物等との干渉も回避できる。
【００５２】
（第３の実施の形態）
図６に、本発明の第３の実施の形態に係るオフセットクリップ３０を示している。
【００５３】
図６に示すように、本実施の形態に係るオフセットクリップ３０においては、連結腕部３３が、係止脚部３１に対してワイヤハーネスＷの軸線方向Ｃにおいて複数の異なる結合位置をとり得るよう、係止脚部１１に対してスライド可能に結合されている。
【００５４】
具体的には、係止脚部３１は、第１の実施の形態の連結腕部１３と同様に、パネル１のクリップ係止穴１ａに嵌合する嵌合部分１１ａと、嵌合部分１１ａより大径な傘状部分１１ｂと、嵌合部分１１ａの中央から下方側に突出する突出部分１１ｃと、突出部分１１ｃの先端部の両側に片持ち支持された一対の係止爪１１ｄとを有している。
【００５５】
係止脚部３１は、しかし、第１の実施の形態の連結腕部１３とは異なり、連結腕部３３の他端側の内方に収納された略直方体形状の頭部３１ｈと、頭部３１ｈおよび嵌合部分１１ａを一体に結合するくびれ部３１ｉとを有しており、頭部３１ｈの両側面およびその近傍の上下面で連結腕部３３に当接している。
【００５６】
また、連結腕部３３は、結束バンド部１２に結合する一端側では第１の実施の形態の連結腕部１３と同様な形状をなしているが、係止脚部３１に結合される他端側では、係止脚部３１の頭部３１ｈをワイヤハーネスＷの軸線方向Ｃに変位可能に保持する形状をなしている。
【００５７】
すなわち、図６（ｂ）に示すように、連結腕部３３は、係止脚部３１の頭部３１ｈを収納する他端側の収納溝３３ｇと、その収納溝３３ｇ内で係止脚部３１の頭部３１ｈの両側面およびその近傍の上下面に当接する５つの保持面ｆ１、ｆ２、ｆ３、ｆ４、ｆ５とを有している。ここで、係止脚部３１の収納溝３３ｇは、頭部３１ｈを収納する内奥側の溝幅がくびれ部３１ｉを収納する入口側の溝幅より広い略Ｔ字形の断面形状を有している。そして、係止脚部３１は、連結腕部３３に対して、ワイヤハーネスＷの軸線方向Ｃへの変位のみが許容され、図３（ｂ）中の上下左右方向または回転方向へのいずれの変位をも規制されるようになっている。
【００５８】
一方、連結腕部３３には、収納溝３３ｇの内奥側の保持面ｆ５および連結腕部３３の上面にそれぞれ開口しつつ互いに所定の中心間距離ｄａを隔てて離間する複数の方形の位置決め穴３３ｊが形成されている。また、係止脚部３１の頭部３１ｈには、位置決め穴３３ｊのいずれか１つに嵌合する方形の凸部３１ｋが設けられている。そして、係止脚部３１は、凸部３１ｋが位置決め穴３３ｊのいずれか１つに嵌合したとき、ワイヤハーネスＷの軸線方向で前述の複数の異なる結合位置Ｐ１，Ｐ１´のうちいずれか１つの結合位置に位置決めされるようになっている。
【００５９】
なお、連結腕部１３の上部および係止脚部１１の頭部３１ｈを上下方向にわずかに撓ませながら、連結腕部１３に対する係止脚部１１の結合位置を位置Ｐ１と位置Ｐ１´の間で変更するように、連結腕部１３と係止脚部１１とをワイヤハーネスＷの進行方向に相互にスライドさせることができるようになっている。
【００６０】
本実施の形態においても、パネル１へのワイヤハーネスＷの固定点である位置Ｐ１またはＰ１´に対してワイヤハーネスＷの進行方向にある程度離れた位置Ｐ２で、ワイヤハーネスＷの配索経路をクリップ単体で容易に規制でき、ワイヤハーネスＷの配索方向や配索姿勢を安定保持できる低コストのオフセットクリップ１０を提供することができる。
【００６１】
しかも、本実施の形態では、連結腕部１３の上部および係止脚部１１の頭部３１ｈを結合位置Ｐ１、Ｐ１´の間で変更するように相互にスライドさせることができるので、係止脚部１１と結束バンド部１２との離間距離Ｄを調整可能となり、オフセットクリップ３０の汎用性が高まる。
【００６２】
なお、上述の各実施の形態においては、結束バンド部１２におけるバンド部分１２ａの抜け止め係止構造を、複数の鋸刃状断面の凹凸１２ｄおよびロック爪部１２ｆを有するものとしたが、係止に用いる凹凸係合の形態は公知の各種のものに置き換え可能であり、図示した形状に限定されるものでないことはいうまでもない。また、結束バンド部１２のようなバンドによる結束に限らず、本発明にいう結束部は、ワイヤハーネルＷを結束可能なまたは結束に近い状態に拘束可能な任意形状のクランプ部等であってもよい。
【００６３】
また、上述の各実施の形態においては、クリップ固定部１ｂがクリップ係止穴１ａを有し、そこに係止脚部１１が挿入されるものとしたが、係止脚部１１とパネル１のクリップ固定部１ｂとの凹凸関係が逆であってもよいし、これらの間の締結方式が従来知られる各種の締結方式に置き換え可能であることも勿論である。各実施の形態中における係止脚部１１の係止爪１１ｄの形状や数が特に限定されないことはいうまでもない。
【００６４】
さらに、上述の第３の実施の形態においては、係止脚部３１と連結腕部３３を異なる結合位置のいずかをとるようスライド可能にしていたが、連結腕部１３と結束バンド部１２の間でそのようなスライドが可能な構造とすることもでき、その構造に応じて、結束バンド部１２を、ワイヤハーネルＷを結束またはそれに近い状態に拘束可能な任意形状のクランプ部等に置き換えることができる。本発明にいう連結腕部が平板状のものに限定されないことは勿論である。
【００６５】
本発明は、上記の実施の形態に限定されるものではなく、特許請求の範囲の技術的範囲には、発明の要旨を逸脱しない範囲内で、種々、設計変更した形態が含まれる。
【００６６】
以上のように、本発明は、パネルへの固定点に対してワイヤハーネスの進行方向にある程度離れた位置で、ワイヤハーネスの配索経路をクリップ単体で規制でき、ワイヤハーネスの配索方向や配索姿勢を安定保持できる低コストのオフセットクリップを提供することができるという効果を有し、パネルへの固定点から離れた位置でワイヤハーネスの配策経路を規制するオフセットクリップ全般に有用である。
【符号の説明】
【００６７】
１  パネル
１ｂ  クリップ固定部
１０，２０，３０  オフセットクリップ
１１，３１  係止脚部
１１ａ  嵌合部分
１１ｄ  係止爪
１２  結束バンド部（結束部）
１２ａ  バンド部分
１２ｂ  バンド係止部分
１３，３３  連結腕部
３１ｈ  頭部
３３ｇ  収納溝
３３ｊ  位置決め穴
Ｃ  軸線方向（進行方向）
Ｄ  離間距離
ｄｐ  所定の突出量
Ｐ１，Ｐ１´  結合位置（固定点）
Ｐ２  結束位置
Ｗ  ワイヤハーネス
【図１】
2015116036.tif 000003
【図２】
2015116036.tif 000004
【図３】
2015116036.tif 000005
【図４】
2015116036.tif 000006
【図５】
2015116036.tif 000007
【図６】
2015116036.tif 000008